(57)【要約】【課題】利用者がログインせずにカラオケ歌唱を行った場合、当該利用者をカラオケシステムに自動的にログインさせることが可能なカラオケシステムを提供する。【解決手段】ある利用者の歌唱音声から声紋データを抽出する抽出部、抽出した声紋データをサーバ装置に送信する送信処理部を有するカラオケ装置と、予め取得した各利用者の声紋データ、各利用者のカラオケ歌唱に関する利用者情報、及び各利用者のカラオケシステムに対するログイン状況を記録する情報記録部、複数の声紋データの中に、抽出された当該ある利用者の歌唱音声から抽出した声紋データと一致するデータがあるかどうか、及び当該ある利用者がカラオケシステムにログインしているかどうかを判定する判定部、複数の声紋データの中に、ある利用者の声紋データと一致するデータがあると判定された場合、且つある利用者がカラオケシステムにログインしていない場合、ある利用者のカラオケシステムへのログインを行うログイン処理部、を有するサーバ装置とを有するカラオケシステム。【選択図】図３
2020003593.tif 000002
【特許請求の範囲】
【請求項１】
サーバ装置及びカラオケ装置を有するカラオケシステムであって、
前記カラオケ装置は、
ある利用者がカラオケ歌唱を開始したことを契機として当該ある利用者の歌唱音声から声紋データを抽出する抽出部と、
抽出した声紋データをサーバ装置に送信する送信処理部と、
を有し、
前記サーバ装置は、
予め取得した各利用者の声紋データ、各利用者のカラオケ歌唱に関する利用者情報、及び各利用者のカラオケシステムに対するログイン状況を記録する情報記録部と、
前記情報記録部に記録されている複数の声紋データの中に、前記抽出部により抽出された当該ある利用者の声紋データと一致するデータがあるかどうか、及び当該ある利用者がカラオケシステムにログインしているかどうかを判定する判定部と、
前記ある利用者の声紋データと一致するデータが前記複数の声紋データの中にあると判定された場合、且つ当該ある利用者がカラオケシステムにログインしていない場合、当該ある利用者のカラオケシステムへのログインを行うログイン処理部と、
を有するカラオケシステム。
【請求項２】
前記カラオケシステムは、前記カラオケ装置に付属するリモコン装置を有し、
前記サーバ装置は、
前記ログインを行ったある利用者の利用者情報の少なくとも一部に閲覧制限を設定する設定部と、
閲覧制限を設定した後、前記ある利用者の利用者情報を当該ある利用者の声紋データが送信されたカラオケ装置に付属するリモコン装置に送信する情報送信部と、
を有し、
前記リモコン装置は、
前記利用者情報を表示部に表示させる表示処理部と、
前記利用者情報の閲覧制限を解除するかどうかの認証を行う認証処理部と、
を有することを特徴とする請求項１記載のカラオケシステム。
【請求項３】
予め取得した各利用者の声紋データ、各利用者のカラオケ歌唱に関する利用者情報、及び各利用者のカラオケシステムに対するログイン状況を記録する情報記録部と、
ある利用者がカラオケ装置を利用してカラオケ歌唱を行った場合、前記情報記録部に記録されている複数の声紋データの中に、当該ある利用者がカラオケ歌唱を開始したことを契機として当該ある利用者の歌唱音声から抽出した声紋データと一致するデータがあるかどうか、及び当該ある利用者がカラオケシステムにログインしているかどうかを判定する判定部と、
前記複数の声紋データの中に、前記ある利用者の声紋データと一致するデータがあると判定された場合、且つ当該ある利用者がカラオケシステムにログインしていない場合、当該ある利用者のカラオケシステムへのログインを行うログイン処理部と、
を有するサーバ装置。
【請求項４】
前記ログインを行ったある利用者の利用者情報の少なくとも一部に閲覧制限を設定する設定部と、
閲覧制限を設定した後、前記ある利用者の利用者情報を当該ある利用者の声紋データが送信されたカラオケ装置に付属するリモコン装置に送信する情報送信部と、
を有することを特徴とする請求項３記載のサーバ装置。
【発明の詳細な説明】
【技術分野】
【０００１】
本発明はカラオケシステム、及びサーバ装置に関する。
【背景技術】
【０００２】
現在のカラオケシステムは、カラオケ装置に付属するリモコン装置や、各利用者が所有するスマートフォン等を介してログインすることができる。カラオケシステムにログインを行うことにより、自身の十八番楽曲の登録や採点結果の記録、或いは過去の採点履歴の閲覧といった様々なサービスを受けることができる。
【０００３】
また、特許文献１には、カラオケシステムにログインした利用者がカラオケ歌唱を行った場合に、入力された歌唱音声デジタルデータから声紋を解析し、解析された声紋に基づいて、顧客ＤＢに登録された声紋情報を参照して少なくとも対応する歌唱者の利用者ＩＤを取得し、歌唱時の採点データを、取得した利用者ＩＤに対応させて記憶する技術が開示されている。この技術を用いることにより、たとえば、楽曲の予約を行った利用者とカラオケ歌唱を行った利用者が異なる場合であっても、カラオケ歌唱を行った利用者の採点履歴として、歌唱時の採点データを記憶させることができる。
【先行技術文献】
【特許文献】
【０００４】
【特許文献１】特開２００８−１６４９６６号公報
【発明の概要】
【発明が解決しようとする課題】
【０００５】
ところで、カラオケシステムにログインする操作を面倒に感じる利用者もいる。このような利用者は、カラオケシステムにログインしないままカラオケ歌唱を行う場合も多い。この場合、カラオケシステムが提供する様々なサービスを利用することができない。そのため、たまたま良い採点結果が得られた場合であっても、自分の採点履歴として記録することができない等の問題が生じる。
【０００６】
本発明の目的は、利用者がログインせずにカラオケ歌唱を行った場合、当該利用者をカラオケシステムに自動的にログインさせることが可能なサーバ装置及びカラオケシステムを提供することにある。
【課題を解決するための手段】
【０００７】
上記目的を達成するための一の発明は、サーバ装置及びカラオケ装置を有するカラオケシステムであって、前記カラオケ装置は、ある利用者がカラオケ歌唱を開始したことを契機として当該ある利用者の歌唱音声から声紋データを抽出する抽出部と、抽出した声紋データをサーバ装置に送信する送信処理部と、を有し、前記サーバ装置は、予め取得した各利用者の声紋データ、各利用者のカラオケ歌唱に関する利用者情報、及び各利用者のカラオケシステムに対するログイン状況を記録する情報記録部と、前記情報記録部に記録されている複数の声紋データの中に、前記抽出部により抽出された当該ある利用者の声紋データと一致するデータがあるかどうか、及び当該ある利用者がカラオケシステムにログインしているかどうかを判定する判定部と、前記ある利用者の声紋データと一致するデータが前記複数の声紋データの中にあると判定された場合、且つ当該ある利用者がカラオケシステムにログインしていない場合、当該ある利用者のカラオケシステムへのログインを行うログイン処理部と、を有するカラオケシステムである。
本発明の他の特徴については、後述する明細書及び図面の記載により明らかにする。
【発明の効果】
【０００８】
本発明によれば、利用者がログインせずにカラオケ歌唱を行った場合、当該利用者をカラオケシステムに自動的にログインさせることができる。
【図面の簡単な説明】
【０００９】
【図１】実施形態に係るカラオケシステムの概略を示す図である。
【図２】実施形態に係るカラオケ装置を示す図である。
【図３】実施形態に係るサーバ装置を示す図である。
【図４】実施形態に係るサーバ装置が記憶する情報を示す図である。
【図５】実施形態に係るリモコン装置を示す図である。
【図６Ａ】実施形態に係るカラオケシステムの処理を示すフローチャートである。
【図６Ｂ】実施形態に係るカラオケシステムの処理を示すフローチャートである。
【発明を実施するための形態】
【００１０】
＜実施形態＞
図１〜図６Ｂを参照して、実施形態に係るカラオケシステムについて説明する。
【００１１】
＝＝カラオケシステム＝＝
図１に示すように、本実施形態に係るカラオケシステム１は、サーバ装置Ｓ、カラオケ装置Ｋ、及びカラオケ装置Ｋに付属するリモコン装置Ｒを含む。なお、図１では、一のカラオケ装置及びリモコン装置を示しているが、カラオケ装置及びリモコン装置は複数設けられていてもよい。
【００１２】
サーバ装置Ｓは、カラオケ装置Ｋ及びリモコン装置Ｒを管理する。サーバ装置Ｓと、カラオケ装置Ｋ及びリモコン装置Ｒとは、ネットワークＮを介して通信可能となっている。ネットワークＮは、たとえば公衆電話回線網やインターネット回線等の伝送路である。
【００１３】
カラオケ装置Ｋは、楽曲のカラオケ演奏、及び利用者がカラオケ歌唱を行うための装置である。また、カラオケ装置Ｋは、利用者のカラオケ歌唱を採点する機能等、一般的なカラオケ装置が備える各種機能を有する。リモコン装置Ｒは、カラオケ装置Ｋに対して各種操作をおこなうための装置である。利用者はリモコン装置Ｒを用いてカラオケ歌唱を希望する楽曲の検索や選曲（予約）等を行うことができる。リモコン装置Ｒの表示画面には各種操作の指示入力を行うためのアイコン等が表示される。なお、カラオケ装置Ｋ及びリモコン装置Ｒは予めペアリングされている。あるカラオケ装置に対してどのリモコン装置がペアリングされているかは、サーバ装置Ｓにて管理されている。
【００１４】
＝＝カラオケ装置＝＝
図２に示すように、カラオケ装置Ｋは、カラオケ本体１０、スピーカ２０、表示装置３０、マイク４０を備える。
【００１５】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声（マイク４０への入力音声）をアナログの音声信号に変換してカラオケ本体１０に入力するための構成である。
【００１６】
カラオケ本体１０は、リモコン装置Ｒ等を介して選曲された楽曲の予約やカラオケ演奏制御、歌詞や背景映像等の表示制御、マイク４０を通じて入力された音声信号の処理といった、カラオケ歌唱に関する各種の制御を行う。図２に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００１７】
［制御部］
制御部１１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。本実施形態において、制御部１１は、抽出部１１ａ及び送信処理部１１ｂとして機能する。
【００１８】
（抽出部）
抽出部１１ａは、ある利用者がカラオケ歌唱を開始したことを契機として当該ある利用者の歌唱音声から声紋データを抽出する。
【００１９】
抽出部１１ａは、マイク４０に入力された歌唱音声の入力時間、周波数、強度に基づいて、声紋データを抽出する。歌唱音声から声紋データを抽出する具体的な手法は、公知の手法を用いることができる。
【００２０】
たとえば、利用者Ｕ１〜利用者Ｕ３の３名でカラオケ装置Ｋを利用しているとする。この場合、抽出部１１ａは、各利用者がカラオケ歌唱をした際に得られる歌唱音声から声紋データを抽出する。
【００２１】
（送信処理部）
送信処理部１１ｂは、抽出した声紋データを速やかにサーバ装置Ｓに送信する。なお、送信処理部１１にて声紋データをサーバ装置Ｓに送信する際は、声紋データと共にカラオケ本体１０の識別番号を紐づけて送信する。
【００２２】
［通信部・記憶部］
通信部１２は、ルーター（図示なし）を介してカラオケ本体１０を通信回線に接続するためのインターフェースを提供する。記憶部１３は、各種のデータを記憶する大容量の記憶装置であり、たとえばハードディスクドライブなどである。たとえば、記憶部１３は、カラオケ装置Ｋにおいてカラオケ演奏を行うための複数の楽曲（楽曲データ）を記憶する。
【００２３】
［音響処理部・表示処理部］
音響処理部１４は、制御部１１の制御に基づき、楽曲に対するカラオケ演奏の制御およびマイク４０を通じて入力された歌唱音声信号の処理を行う。表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。
【００２４】
［操作部］
操作部１６は、パネルスイッチおよびリモコン受信回路などからなり、利用者によるカラオケ装置Ｋのパネルスイッチあるいはリモコン装置Ｒの操作に応じて選曲信号、演奏中止信号などの操作信号を制御部１１に対して出力する。制御部１１は、操作部１６からの操作信号を検出し、対応する処理を実行する。
【００２５】
＝＝サーバ装置＝＝
図３はサーバ装置Ｓのハードウェア構成例を示す図である。サーバ装置Ｓは、記憶部５０、通信部５１、及び制御５２を備える。各構成はインターフェース（図示なし）を介してバスＢに接続されている。
【００２６】
［記憶部］
記憶部５０は、各種のデータを記憶する大容量の記憶装置である。本実施形態に係る記憶部５０の記憶領域の一部は、情報記録部５０ａとして機能する。
【００２７】
（情報記録部）
情報記録部５０ａは、予め取得した各利用者の声紋データ、各利用者のカラオケ歌唱に関する利用者情報、及び各利用者のカラオケシステムに対するログイン状況を記録する。
【００２８】
声紋データは、カラオケシステム１に初めてログインする際、利用者ＩＤやニックネーム等の設定と併せて予め取得したものである。利用者情報は、たとえば、カラオケ歌唱に基づく歌唱履歴（歌唱した楽曲名、アーティスト名、歌唱日時等）や採点履歴といった履歴情報、利用者が登録した十八番楽曲、利用者が設定したニックネームやアバター等の基本情報、或いは代替予約の可否等である。
【００２９】
代替予約とは、たとえば、利用者Ｕ１〜利用者Ｕ３でカラオケ装置Ｋを利用している場合に、利用者Ｕ１または利用者Ｕ２が利用者Ｕ３に歌唱して欲しい楽曲を予約するための手段である。具体的には、利用者Ｕ１が楽曲Ｘを選曲した後、利用者Ｕ３のニックネームを指定した場合、カラオケ装置Ｋは、選曲した楽曲Ｘの楽曲ＩＤと利用者Ｕ３の利用者ＩＤの紐付けを行う。楽曲Ｘのカラオケ歌唱終了後、カラオケ装置Ｋは、楽曲Ｘの楽曲名、歌唱日時、採点結果等の情報をサーバ装置Ｓに送信する。この場合、サーバ装置Ｓは、受信した情報を、利用者Ｕ３の履歴情報として情報記録部５０ａに記録する。
【００３０】
ログイン状況は、各利用者が現在カラオケシステム１にログインしているかどうかを示す情報である。カラオケシステム１にログインすることにより、利用者はカラオケシステム１が提供する各種サービスを利用できる。図４は、情報記録部５０ａに記録されている情報の一例を示している。図４の例において、カラオケ装置Ｋを利用する利用者のうち、利用者Ｕ１及び利用者Ｕ２は既にログイン済みである。一方、利用者Ｕ３は、未だログインをしていない状態である。
【００３１】
［通信部］
通信部５１は、サーバ装置Ｓとカラオケ装置Ｋまたはリモコン装置Ｒとを接続するためのインターフェースを提供する。
【００３２】
［制御部］
制御部５２は、サーバ装置Ｓにおける各種の制御を行う。制御部５２は、ＣＰＵおよびメモリ（いずれも図示無し）を備える。ＣＰＵは、メモリに記憶されたプログラムを実行することにより各種の機能を実現する。本実施形態において、制御部５２は、判定部５２ａ、ログイン処理部５２ｂ、設定部５２ｃ、及び情報送信部５２ｄとして機能する。
【００３３】
（判定部）
判定部５２ａは、ある利用者がカラオケ装置Ｋを利用してカラオケ歌唱を行った場合、情報記録部５０ａに記録されている複数の声紋データの中に、当該ある利用者の歌唱音声から抽出した声紋データと一致するデータがあるかどうか、及び当該ある利用者がカラオケシステム１にログインしているかどうかを判定する。
【００３４】
声紋データが一致するか否かは公知の声紋認証技術を利用することができる。たとえば、カラオケ装置Ｋ（送信処理部１１ｂ）からある利用者の声紋データを受信したとする。この場合、判定部５２ａは、受信した声紋データと一致する声紋データが情報記録部５０ａに記録されているかどうかを判定する。また、判定部５２ａは、情報記録部５０ａに記録されているログイン状況を参照することにより、ある利用者がカラオケシステムにログインしているかどうかを判定する。
【００３５】
たとえば、利用者Ｕ３の声紋データを受信したとする。図４に示した通り、利用者Ｕ３については、声紋データが予め記録されている。この場合、判定部５２ａは、利用者Ｕ３について、受信した声紋データと一致する声紋データが情報記録部５０ａに記録されていると判定する。
【００３６】
また、判定部５２ａは、情報記録部５０ａに記録されているログイン状況を参照し、当該声紋データに対応する利用者Ｕ３がカラオケシステム１にログインを行っているかどうかを判定する。図４の例において、利用者Ｕ３は、カラオケシステム１にログインしていない。
【００３７】
この場合、判定部５２ａは、情報記録部５０ａに記録されている複数の声紋データの中に、利用者Ｕ３の声紋データと一致するデータがあり、且つ利用者Ｕ３がカラオケシステム１にログインしていない旨の判定結果をログイン処理部５２ｂに出力する。
【００３８】
一方、利用者Ｕ１の声紋データを受信したとする。図４に示した通り、利用者Ｕ１については、声紋データが予め記録されている。この場合、判定部５２ａは、利用者Ｕ１について、受信した声紋データと一致する声紋データが情報記録部５０ａに記録されていると判定する。
【００３９】
また、判定部５２ａは、情報記録部５０ａに記録されているログイン状況を参照し、当該声紋データに対応する利用者Ｕ１がカラオケシステム１にログインを行っているかどうかを確認する。図４の例において、利用者Ｕ１は、カラオケシステム１にログインしている。
【００４０】
この場合、判定部５２ａは、情報記録部５０ａに記録されている複数の声紋データの中に、利用者Ｕ１の声紋データと一致するデータがあり、且つ利用者Ｕ１がカラオケシステム１にログインしている旨の判定結果をログイン処理部５２ｂに出力する。
【００４１】
（ログイン処理部）
ログイン処理部５２ｂは、カラオケシステム１へのログイン処理を行う。
【００４２】
通常、利用者は、カラオケシステム１の利用にあたって、最初にログイン操作（自己の利用者ＩＤやパスワードの入力）を行なう。具体的に、利用者は、リモコン装置Ｒを介して、利用者ＩＤ及びパスワードを入力する。リモコン装置Ｒは、入力された利用者ＩＤ及びパスワードをサーバ装置Ｓに送信する。ログイン処理部５２ｂは、受信した利用者ＩＤ及びパスワードに基づいて当該利用者ＩＤに対応する利用者がカラオケシステム１にログインする処理を行う。複数の利用者でカラオケシステム１を利用する場合、利用者毎にログイン操作を行う。なお、利用者は、自己の所有する携帯端末を介してログイン操作を行ってもよい。
【００４３】
また、本実施形態において、ログイン処理部５２ｂは、ある利用者の声紋データと一致するデータが情報記憶部５０ａに記憶されている複数の声紋データの中にあると判定された場合、且つ当該ある利用者がカラオケシステムにログインしていない場合、当該ある利用者のカラオケシステム１へのログインを行う。
【００４４】
たとえば、判定部５２ａから、情報記録部５０ａに記録されている複数の声紋データの中に、利用者Ｕ３の声紋データと一致するデータがあり、且つ利用者Ｕ３がカラオケシステム１にログインしていない旨の判定結果の入力を受けたとする。この場合、ログイン処理部５２ｂは、利用者Ｕ３のカラオケシステムへのログインを自動的に行う。
【００４５】
一方、判定部５２ａから、情報記録部５０ａに記録されている複数の声紋データの中に、利用者Ｕ１の声紋データと一致するデータがあり、且つ利用者Ｕ１がカラオケシステム１にログインしている旨の判定結果の入力を受けたとする。この場合、ログイン処理部５２ｂは、特段の処理を行わない。なお、ログイン処理部５２ｂは、ある利用者の声紋データと一致するデータが情報記憶部５０ａに記憶されている複数の声紋データの中にないと判定された場合も特段の処理を行わない。
【００４６】
（設定部）
設定部５２ｃは、ログインを行ったある利用者の利用者情報の少なくとも一部に閲覧制限を設定する。
【００４７】
カラオケ歌唱中にカラオケシステム１へのログインが行われた利用者の利用者情報は、情報送信部５２ｄにより、当該利用者が利用しているカラオケ装置Ｋに付属するリモコン装置Ｒに送信される。送信された利用者情報は、リモコン装置Ｒ上で閲覧することが可能となる。一方、ある利用者のカラオケ歌唱中、リモコン装置Ｒは他の利用者が使用している可能性が高いため、ある利用者の利用者情報を他の利用者が自由に確認できる状況となる。このような状況は、他の利用者に利用者情報を見られたくないと考える利用者にとっては不都合である。
【００４８】
そこで、設定部５２ｃは、予め利用者情報の少なくとも一部に閲覧制限を設定することが好ましい。どの情報に閲覧制限を設定するかは、予め決定されている。設定部５２ｃは、たとえば一部の項目に対してのみフラグを設定することにより、閲覧制限を設定する。設定部５２ｃは、閲覧制限の設定が完了した後、情報送信部５２ｄにその旨の信号を送信する。なお、一度設定した閲覧制限は、リモコン装置Ｒ側で変更することも可能である。
【００４９】
（情報送信部）
情報送信部５２ｄは、閲覧制限を設定した後、ある利用者の利用者情報を当該ある利用者の声紋データが送信されたカラオケ装置Ｋに付属するリモコン装置Ｒに送信する。
【００５０】
＝＝リモコン装置＝＝
図５はリモコン装置Ｒのハードウェア構成例を示す図である。リモコン装置Ｒは、記憶部６０、通信部６１、表示部６２、操作部６３、及び制御部６４を備える。各構成はインターフェース（図示なし）を介してバスＢに接続されている。
【００５１】
［記憶部・通信部・表示部・操作部］
記憶部６０は、各種のデータを記憶する大容量の記憶装置である。通信部６１は、リモコン装置Ｒとカラオケ装置Ｋまたはサーバ装置Ｓとを接続するためのインターフェースを提供する。表示部６２はカラオケ楽曲の検索画面等、各種表示を行うための構成である。操作部６３は、リモコン装置Ｒに対して各種入力を行うための構成である。
【００５２】
［制御部］
制御部６４は、リモコン装置Ｒにおける各種の制御を行う。制御部６４は、ＣＰＵおよびメモリ（いずれも図示無し）を備える。ＣＰＵは、メモリに記憶されたプログラムを実行することにより各種の機能を実現する。本実施形態において制御部６４は、表示処理部６４ａ及び認証処理部６４ｂとして機能する。
【００５３】
（表示処理部）
表示処理部６４ａは、利用者情報を表示部６２に表示させる。
【００５４】
上述の通り、カラオケシステム１にログインを行った場合、ログインを行った利用者の利用者情報がサーバ装置Ｓからリモコン装置Ｒに送信される。表示処理部６４ａは、記憶部６０に記憶されているレイアウトに基づいて、受信した利用者情報を表示部６２に表示させる。利用者は、表示部６２に表示された項目を選択することにより、自己の歌唱履歴や採点履歴等を確認することができる。
【００５５】
この際、本実施形態においては、利用者情報の一部に閲覧制限が設定されている可能性がある。閲覧制限が設定されている項目が選択された場合、表示処理部６４ａは、対応する情報を表示する代わりに、認証用の画面を表示させる。認証用の画面は、たとえば操作部６３を介してパスワード入力を求める画面である。パスワードは、各利用者が予め設定したものである。パスワードは、利用者情報の一部として記録されている。
【００５６】
（認証処理部）
認証処理部６４ｂは、利用者情報の閲覧制限を解除するかどうかの認証を行う。
【００５７】
認証処理部６４ｂは、認証用の画面において入力されたパスワードが、利用者が予め設定したパスワードと同じものであるかどうかの認証を行う。パスワードが一致した場合、認証処理部６４ｂは、その旨の結果を表示処理部６４ａに出力する。表示処理部６４ａは、閲覧制限を解除し、対応する利用者情報を表示部６２に表示させる。一方、パスワードが一致しなかった場合、認証処理部６４ｂは、その旨の結果を表示処理部６４ａに出力する。表示処理部６４ａは、閲覧制限を解除せず、エラーメッセージを表示部６２に表示させる。なお、閲覧制限の認証に関しては、パスワードの代わりに顔認証や指紋認証を用いることも可能である。
【００５８】
＝＝カラオケシステムにおける処理について＝＝
次に、図６Ａ及び図６Ｂを参照して本実施形態に係るカラオケシステム１における処理の具体例について述べる。図６Ａは、カラオケシステム１におけるログインに関する処理例を示すフローチャートである。図６Ｂは、カラオケシステム１における利用者情報の閲覧制限に関する処理例を示すフローチャートである。この例において、サーバ装置Ｓの情報記録部５０ａは、予め取得した各利用者の声紋データ、各利用者のカラオケ歌唱に関する利用者情報、及び各利用者のカラオケシステム１に対するログイン状況を記録しているとする。
【００５９】
［ログインに関する処理］
ある利用者がカラオケ歌唱を開始したことを契機として、カラオケ装置Ｋの抽出部１１ａは、ある利用者の歌唱音声から声紋データを抽出する（声紋データの抽出。ステップ１０）。送信処理部１１ｂは、ステップ１０で抽出した声紋データをサーバ装置Ｓに送信する（声紋データの送信。ステップ１１）。
【００６０】
判定部５２ａは、情報記録部５０ａに記録されている複数の声紋データの中に、ステップ１１で送信された声紋データと一致するデータがあるかどうか、及びある利用者がカラオケシステム１にログインしているかどうかを判定する。
【００６１】
ある利用者の声紋データと一致するデータが情報記憶部５０ａに記憶されている複数の声紋データの中にあると判定された場合（ステップ１２でＹの場合）、且つある利用者がカラオケシステム１にログインしていない場合（ステップ１３でＹの場合）、ログイン処理部５２ｂは、ある利用者のカラオケシステムへのログインを行う（ログイン処理。ステップ１４）。
【００６２】
［閲覧制限に関する処理］
設定部５２ｃは、ステップ１４でログインを行ったある利用者の利用者情報の少なくとも一部に閲覧制限を設定する（閲覧制限の設定。ステップ２０）。
【００６３】
情報送信部５２ｄは、閲覧制限を設定した後、ある利用者の利用者情報を当該ある利用者が利用しているカラオケ装置Ｋに付属するリモコン装置Ｒに送信する（閲覧制限した利用者情報を送信。ステップ２１）。
【００６４】
表示処理部６４ａは、ステップ２１で送信された利用者情報を表示部６２に表示させる（利用者情報を表示。ステップ２２）。
【００６５】
ここで、利用者により、閲覧制限が設定されている利用者情報が選択された場合、表示処理部６４ａは、認証用の画面を表示させる。
【００６６】
認証処理部６４ｂは、認証用の画面における利用者の入力に応じて、利用者情報の閲覧制限を解除するかどうかの認証を行う（閲覧制限の解除について認証。ステップ２３）。
【００６７】
閲覧制限を解除するという認証結果が得られた場合（ステップ２４でＹの場合）、認証処理部６４ｂは、その旨の信号を表示処理部６４ａに出力する。表示処理部６４ａは、閲覧制限が解除された利用者情報を表示させる（閲覧制限が解除された利用者情報を表示。ステップ２５）。
【００６８】
以上から明らかなように、本実施形態に係るサーバ装置Ｓは、予め取得した各利用者の声紋データ、各利用者のカラオケ歌唱に関する利用者情報、及び各利用者のカラオケシステム１に対するログイン状況を記録する情報記録部５０ａと、ある利用者がカラオケ装置Ｋを利用してカラオケ歌唱を行った場合、情報記録部５０ａに記録されている複数の声紋データの中に、当該ある利用者がカラオケ歌唱を開始したことを契機として当該ある利用者の歌唱音声から抽出した声紋データと一致するデータがあるかどうか、及び当該ある利用者がカラオケシステム１にログインしているかどうかを判定する判定部５２ａと、複数の声紋データの中に、ある利用者の声紋データと一致するデータがあると判定された場合、且つ当該ある利用者がカラオケシステム１にログインしていない場合、当該ある利用者のカラオケシステム１へのログインを行うログイン処理部５２ｂと、を有する。
【００６９】
このようなサーバ装置Ｓによれば、利用者がカラオケ歌唱を開始したことを契機として利用者の歌唱音声から抽出した声紋データに基づいて、ログイン状況を判定し、ログインしていない利用者については自動でログインさせることができる。従って、ログイン操作が面倒に感じる利用者であっても、カラオケシステム１に容易にログインすることができ、様々なサービスを利用することができる。すなわち、本実施形態に係るサーバ装置Ｓによれば、利用者がログインせずにカラオケ歌唱を行った場合、当該利用者をカラオケシステム１に自動的にログインさせることができる。
【００７０】
また、本実施形態に係るサーバ装置Ｓは、ログインを行ったある利用者の利用者情報の少なくとも一部に閲覧制限を設定する設定部５２ｃと、閲覧制限を設定した後、ある利用者の利用者情報を当該ある利用者が利用しているカラオケ装置Ｋに付属するリモコン装置Ｒに送信する情報送信部５２ｄと、を有する。
【００７１】
利用者情報に閲覧制限を設定することにより、他の利用者に見られたくない利用者情報（たとえば、歌唱履歴や採点履歴）が閲覧されることを防止できる。
【００７２】
また、本実施形態に係るカラオケシステム１は、サーバ装置Ｓ及びカラオケ装置Ｋを有する。カラオケ装置Ｋは、ある利用者がカラオケ歌唱を開始したことを契機として当該ある利用者の歌唱音声から声紋データを抽出する抽出部１１ａと、抽出した声紋データをサーバ装置Ｓに送信する送信処理部１１ｂと、を有する。サーバ装置Ｓは、予め取得した各利用者の声紋データ、各利用者のカラオケ歌唱に関する利用者情報、及び各利用者のカラオケシステムに対するログイン状況を記録する情報記録部５０ａと、情報記録部５０ａに記録されている複数の声紋データの中に、抽出部１１ａにより抽出された当該ある利用者の声紋データと一致するデータがあるかどうか、及び当該ある利用者がカラオケシステムにログインしているかどうかを判定する判定部５２ａと、ある利用者の声紋データと一致するデータが複数の声紋データの中にあると判定された場合、且つ当該ある利用者がカラオケシステム１にログインしていない場合、当該ある利用者のカラオケシステム１へのログインを行うログイン処理部５２ｂと、を有する。
【００７３】
このようなカラオケシステム１によれば、利用者がログインせずにカラオケ歌唱を行った場合、カラオケ装置Ｋで歌唱音声から声紋データを抽出することにより、サーバ装置Ｓ側（判定部５２ａ）における判定処理をスムーズに行うことができ、当該利用者をカラオケシステム１に自動的にログインさせることができる。また、利用者のカラオケ歌唱の開始を契機として抽出部１１ａにより利用者の声紋データを抽出するため、他の利用者とのコミュニケーションのために設定したニックネームやアバターを速やかに利用できるようになり、またカラオケ演奏終了後の歌唱履歴や採点履歴の記録も確実に実行でき、ログインによるサービスを享受することができる。
【００７４】
更に、カラオケシステム１は、カラオケ装置Ｋに付属するリモコン装置Ｒを有する。サーバ装置Ｓは、ログインを行ったある利用者の利用者情報の少なくとも一部に閲覧制限を設定する設定部５２ｃと、閲覧制限を設定した後、ある利用者の利用者情報を当該ある利用者の声紋データが送信されたカラオケ装置Ｋに付属するリモコン装置Ｒに送信する情報送信部５２ｄと、を有する。リモコン装置Ｒは、利用者情報を表示部６２に表示させる表示処理部６４ａと、利用者情報の閲覧制限を解除するかどうかの認証を行う認証処理部６４ｂと、を有する。
【００７５】
このように、自動でログインした利用者に関する利用者情報のうち、他の利用者に見られたくない利用者情報（たとえば、歌唱履歴や採点履歴）が閲覧されることを防止できる。
【００７６】
＜その他＞
なお、上記実施形態では、カラオケ装置Ｋ側で歌唱音声から声紋データを抽出し、サーバ装置Ｓに送信する例について述べたが、これに限られない。カラオケ装置Ｋは、歌唱音声をサーバ装置Ｓに送信し、サーバ装置Ｓ側で歌唱音声から声紋データを抽出することでもよい。
【００７７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７８】
１  カラオケシステム
１１ａ  抽出部
１１ｂ  送信処理部
５０ａ  情報記録部
５２ａ  判定部
５２ｂ  ログイン処理部
５２ｃ  設定部
５２ｄ  情報送信部
６４ａ  表示処理部
６４ｂ  認証処理部
Ｋ  カラオケ装置
Ｒ  リモコン装置
Ｓ  サーバ装置
【図１】
2020003593.tif 000003
【図２】
2020003593.tif 000004
【図３】
2020003593.tif 000005
【図４】
2020003593.tif 000006
【図５】
2020003593.tif 000007
【図６Ａ】
2020003593.tif 000008
【図６Ｂ】
2020003593.tif 000009